(57)【要約】【課題】本発明は、装置全体を小型化する。【解決手段】本発明は、反応型シリコーン４１によりピストン１１とシリンダ１４の隙間をシールすると共に、ピストン１１がシリンダ１４内で摺動する際の摺動抵抗を大幅に減少させることができるので、ピストン１１を駆動させる駆動部１２に供給する電力を減少させることができ、これに伴い電源部６４を構成する電池を小さくすることができ、かくして装置全体を小型化することができる。【選択図】図７
2012200416.tif 000002
【特許請求の範囲】
【請求項１】
使用者の体内に薬液を投与するための薬液投与装置であって、
該薬液を貯蔵する薬液貯蔵部と、
前記薬液貯蔵部から使用者の体内へ薬液を送液する流路を形成する流路部と、
前記流路部の途中に設けられたシリンダ部と、
前記シリンダ部内を摺動するピストンとを有し、
前記流路部は、前記薬液貯蔵部と前記シリンダ部とを接続する流入路と、
前記シリンダ部と使用者の生体へと接続される流出路とから成り、
前記流路部は、前記薬液貯蔵部から前記シリンダ部へと薬液が流れるように前記流入路上に設けられた該薬液の流れる方向を制御する第1制御部と、前記シリンダ部から前記使用者の生体内へ薬液が流れるように、前記流出路上に設けられた該薬液の流れる方向を制限する第２の制限部とを有し、
該ピストンは、前記シリンダ部の内径部の直径より直径が小さく、
前記ピストン及びリシンダ部との間には反応型シリコーンが設けられている
ことを特徴とする薬液投与装置。
【請求項２】
前記ピストンが前記シリンダ部の内部容積を広げる方向に摺動し、前記薬液貯蔵部から前記シリンダ部へと前記薬液が送液される第1の送液段階では、前記第1の制限部は、前記シリンダ部へ薬液が送液されるのを許可するが、前記第２の制限部は薬液が送液されるのを制限し、前記ピストンが前記シリンダ部の内部容積を縮小させる方向に摺動し、前記シリンダ部から使用者の体内へ薬液が送液される第２の送液段階では、前記第１の制限部は薬液が送液されるのを制限するが、前記第２の制限部は薬液が送液されるのを許可することを特徴とする請求項1に記載の薬液投与装置。
【請求項３】
前記シリンダ部の内径は、０．７ｍｍ以上３ｍｍ以下である
ことを特徴とする請求項１に記載の薬液投与装置。
【請求項４】
前記ピストンと前記シリンダ部との隙間は、２μｍ以上２０μｍ以下である
ことを特徴とする請求項１に記載の薬液投与装置。
【発明の詳細な説明】
【技術分野】
【０００１】
本発明は、薬液投与装置に関し、例えば薬液を使用者の体内に投与する場合に適用して好適なものである。
【背景技術】
【０００２】
従来、薬液（インスリン）を投与する装置として、使用者の皮膚に付着させて用いられる携帯型の装置であって、薬液容器である外筒内に充填された薬液をシール部材（ピストン）を介して押し出すことにより体内に投与する、所謂シリンジポンプ型の装置が提案されている（例えば、特許文献１参照）。
【先行技術文献】
【特許文献】
【０００３】
【特許文献１】特表２０１０−５０１２８３号公報
【発明の概要】
【発明が解決しようとする課題】
【０００４】
ところで、上述した装置では、薬液容器である外筒とピストンとの間で薬液の漏れを防止するために例えば高分子材料（熱可塑性エラストマ）などでピストンを構成したり、ピストンの少なくとも外周部を高分子材料（熱可塑性エラストマ）などを設けるようになされている。
【０００５】
一方、使用者に長時間に保持させる装置ではより小型化することが求められる。装置を小型化する場合、内部に搭載される電源も小さくしなければならず、これに伴って薬液を外部に送出する力もより小さくしなければならない。
【０００６】
しかしながら、シール部材であるピストンとして高分子材料（熱可塑性エラストマ）を使用する場合に、ピストンと外筒との間の摺動抵抗が大きいために供給電力を少なくすることができず、内部に搭載される電源が大きくなってしまい、小型化することができないといった問題があった。
【０００７】
本発明は以上の点を考慮してなされたもので、小型化し得る薬液投与装置を提案しようとするものである。
【課題を解決するための手段】
【０００８】
かかる課題を解決するため本発明は、使用者の体内に薬液を投与するための薬液投与装置であって、該薬液を貯蔵する薬液貯蔵部と、薬液貯蔵部から使用者の体内へ薬液を送液する流路を形成する流路部と、流路部の途中に設けられたシリンダ部と、シリンダ部内を摺動するピストンとを有し、流路部は、薬液貯蔵部とシリンダ部とを接続する流入路と、シリンダ部と使用者の生体へと接続される流出路とから成り、流路部は、薬液貯蔵部からシリンダ部へと薬液が流れるように流入路上に設けられた該薬液の流れる方向を制御する第1制御部と、シリンダ部から使用者の生体内へ薬液が流れるように、流出路上に設けられた該薬液の流れる方向を制限する第２の制限部とを有し、該ピストンは、シリンダ部の内径部の直径より直径が小さく、ピストン及びリシンダ部との間には反応型シリコーンが設けられている。
【０００９】
これにより、ピストンをシリンダ部内で摺動させて薬液貯蔵部に貯蔵された薬液を流路部を介して使用者の体内に送出する際に、ピストンとシリンダ部の間に塗布される反応型シリコーンにより、ピストンとシリンダ部の間からの薬液の漏れを塞ぐと共に、ピストンの摺動抵抗を減少させることができる。
【発明の効果】
【００１０】
本発明によれば、ピストンがシリンダ内で摺動する際の摺動抵抗を減少させることができるので、ピストンを駆動させる駆動部に供給する電力を減少させることができ、これに伴い電源部を小型化することができ、かくして装置全体を小型化することができる。
【図面の簡単な説明】
【００１１】
【図１】薬液投与装置の構成を示す略線図である。
【図２】薬液投与装置の分解斜視図である。
【図３】送出部による薬液の送出の様子を示す略線図である。
【図４】駆動部の構成を示す略線図である。
【図５】駆動部の断面図である。
【図６】振動体の変形の様子を示す略線図である。
【図７】ピストン、シリンダ及び反応型シリコーンの構成を示す略線図である。
【図８】実験装置の構成を示す略線図である。
【図９】実験結果を示す図である。
【図１０】薬液投与装置の電気的構成を示す略線図である。
【図１１】薬液投与処理手順を示すフローチャートである。
【図１２】他の実施の形態における駆動部の構成を示す略線図である。
【図１３】他の実施の形態における薬液投与装置の電気的構成を示す略線図である。
【発明を実施するための形態】
【００１２】
以下に、図面について、本発明の一実施の形態を詳述する。
【００１３】
〔１．薬剤投与装置の構成〕
図１に示すように、薬液投与装置１は、使用者の皮膚に貼り付けることにより保持されて使用される携帯型の装置であり、上側が開口し内部に空間が設けられた下筐体部２と該下筐体部２の開口に嵌合する上筐体部３により扁平な略直方体形状に形成される。
【００１４】
薬液投与装置１の大きさは、使用者の皮膚にはりつけることができる程度にまで小型化されていればよいが、例えば横３２ｍｍ、縦４４ｍｍ、高さ１１ｍｍ略直方体形状が挙げられる。
【００１５】
下筐体部２には、両面テープ等でなる貼付部４が底面２Ａに設けられる。薬液投与装置１は、接着部４が使用者の皮膚に貼り付けられることにより該使用者に保持される。
【００１６】
薬液投与装置１は、下筐体部２の底面２Ａに、内部に充填された薬液を使用者の体内へ投与するために該使用者の皮膚を穿刺するための針やカニューレ等でなる穿刺部５と、内部に設けられた薬液貯蔵部（図２）に薬液を注入するための注入路である注入部６とが設けられる。
【００１７】
薬液投与装置１は、図２に示すように、下筐体部２と上筐体部３とで形成される空間に注入部６、薬液貯蔵部７、基板部８及び送出部９が配される。
【００１８】
薬液貯蔵部７は、柔軟性を有する材料により形成された容器（本実施の形態では２ｍＬ）である。薬液貯蔵部７を構成する材質としては、例えば、ポリオレフィンを含むものであるのが好ましく、特に好ましいものとして、ポリエチレンまたはポリプロピレンに、スチレン−ブタジエン共重合体やスチレン−エチレン−ブチレン−スチレンブロック共重合体等のスチレン系熱可塑性エラストマーあるいはエチレン−プロピレン共重合体やエチレン−ブテン共重合体、プロピレン−αオレフィン共重合体等のオレフィン系熱可塑性エラストマーをブレンドし柔軟化した軟質樹脂を挙げることができる。そして、薬液貯蔵部７には薬液が注入部６を介して外部から充填される。薬剤貯蔵部７に貯蔵される薬液としては、例えばインスリンや各種ホルモン、モルヒネなどの鎮痛薬、あるいは抗炎症薬剤などが挙げられる。基板部８は、電源電力を供給する電源部６４（図１０）や送出部９を制御する回路などが配される。
【００１９】
送出部９は、図２及び図３に示すように、ピストン１１、ＣＰＵ６１（図７）の制御に応じて該ピストン１１を往復駆動させる駆動部１２、及び薬液貯蔵部７から穿刺部５まで薬液が流れる流路を形成する流路部１３、一端が流路部１３に接続され他端から挿入されるピストン１１が内部で摺動されるシリンダ１４、流路部１３の流路の開閉を行い薬液の流れを制限する制限部１５を含む構成とされる。
【００２０】
ピストン１１は、駆動部１２により駆動されてシリンダ１４内で所定のストロークで摺動する。ピストン１１の材質としては、例えば、ステンレス鋼、銅合金、アルミ合金、チタン材、ポリプロピレンやポリカーカーボネートなどの熱可塑性エラストマー等が挙げられ、その直径は例えば、０．８ｍｍ程度である。また、ピストン１１はシリンダ１４内を摺動することにより一定量の薬液を送液するが、そのストロークは例えば２ｍｍ程度である。
【００２１】
流路部１３は、流入路を形成する吸込管１３Ａ、流出路を形成する送出管１３Ｂ及びシリンダ部へと接続するための接続管１３Ｃにより構成される。吸込管１３Ａは、一端が薬剤貯蔵部７に接続され、他端が接続管１３Ｃと接続される。送出管１３Ｂは、一端が穿刺部５と接続され、他端が接続管１３Ｃと接続される。接続管１３Ｃは、端部がそれぞれ吸込管１３Ａ及び送出管１３Ｂと接続され、中央部分にシリンダ１４が接続される。
【００２２】
制限部１５は、第１の制限部を構成する吸込側蓋部２１及び吸込側押付部２３、第２の制限部を構成する送出側蓋部２２及び送出側押付部２４により構成される。
【００２３】
吸込側蓋部２１及び送出側蓋部２２は、弾性変形可能な部材でなり、吸込管１３Ａ及び送出管１３Ｂのそれぞれ他端に対して所定の間隔だけ離間して配される。吸込側押付部２３及び送出側押付部２４は、ＣＰＵ６１（図１０）の制御に応じて動作するアクチュエータであり、吸込側蓋部２１及び送出側蓋部２２を吸込管１３Ａ及び送出管１３Ｂの他端に押し当てることにより吸込管１３Ａ及び送出管１３Ｂの他端をそれぞれ塞ぐ。
【００２４】
シリンダ１４は、ピストン１１の直径より大きな内径で、一端が接続管１３Ｃと接続され、他端側からピストン１１が挿入され内部で摺動する。シリンダ１４とピストン１１との直径の差は、例えば０．０１ｍｍ程度である。
【００２５】
送出部９は、薬液貯蔵部７から外部に薬液を送出する際、図３に示すように、ピストン１１が最も押込まれる位置（以下、最押込位置とも呼ぶ）にきた時、吸込側押付部２３を吸込側蓋部２１から離して吸込管１３Ａ及び接続管１３Ｃの間の流路を開放すると共に、送出側押付部２４により送出側蓋部２２を送出管１３Ｂの他端に押し付けて送出管１３Ｂ及び接続管１３Ｃの間の流路を塞ぐ（図３（Ａ））。
【００２６】
そして送出部９は、ピストン１１を最押込位置から最も引き戻される位置（以下、これを最引戻位置とも呼ぶ）までシリンダ１４内で摺動させ（以下、この摺動方向を引戻方向とも呼ぶ）、薬液貯蔵部７に貯蔵された薬液を吸込管１３Ａ及び接続管１３Ｃを介してシリンダ１４内に吸い出す（図３（Ｂ））。
【００２７】
送出部９は、ピストン１１が最引戻位置に移動されると、吸込側押付部２３により吸込側蓋部２１を吸込管１３Ａの他端に押し付けて吸込管１３Ａ及び接続管１３Ｃの間の流路を塞ぎ（図３（Ｃ））、送出側押付部２４を送出側蓋部２２から離して送出管１３Ｂ及び接続管１３Ｃの間の流路を開放する（図３（Ｄ））。
【００２８】
送出部９は、ピストン１１を最引戻位置から最押込位置までシリンダ１４内を摺動させ（以下、この摺動方向を押込方向とも呼ぶ）、シリンダ１４の内部に吸い出された薬液を接続管１３Ｃ、送出管１３Ｂ及び穿刺部５を介して使用者の体内に送出する（図３（Ｅ）及び（Ｆ））。
【００２９】
送出部９は、ピストン１１を一往復させる動作（図３（Ａ）〜（Ｆ））で所定量の薬液を使用者の体内に投与でき、この動作を設定された周期及び間隔で繰り返し行うことにより、所望の投与速度及び投与量で薬液を使用者に投与できる。
【００３０】
駆動部１２は、図４及びその断面図である図５に示すように、支持体３１、軸支持体３２、軸体３３、振動体３４、移動体３５、軸当接体３６及び締付体３７を含む構成とされる。
【００３１】
支持体３１は、その一端側に設けられた軸支持体３２を介して駆動部１２の各部を支持する。また支持体３１は、対向する面同士が所定間隔（ピストン１１のストローク及び突出部３５Ｂの幅を合わせた距離）離れるようにして移動体３５の方向に移動制限部３１Ａ及び３１Ｂが突設されており、該移動制限部３１Ａ及び３１Ｂによりピストン１１の移動を制限する。
【００３２】
軸支持体３２は、軸体３３が挿通される孔が設けられる。軸体３３は、略円柱形状でなり、軸支持体３２の孔に挿通されて軸方向に移動可能に支持される。軸体３３の一端には、例えば電圧素子でなる振動体３４が当接される。
【００３３】
振動体３４は、ＣＰＵ４１（図７）の制御に基づいて電圧が印加されることにより、中央部分が周辺部分に対して押し出されるように湾曲する。このとき湾曲する方向は印加される電圧の方向によって異なる。具体的には、例えば電圧を印加していないときは平面状になっており、（図６（Ａ））、図６（Ｂ）の方向（この方向を仮に正方向とする）に電圧を印加することで軸体３３を押し出すように変形し、図６（Ｂ）とは反対方向（この方向を仮に負方向とする）に電圧を印加することで軸体３３を引き戻すように変形する（図６（Ｃ））。
【００３４】
軸体３３は、軸支持体３２を挟んで振動体３４とは反対側で移動体３５及び軸当接体３６に締付体３７を介して囲まれるようにして所定の摩擦力で挟持される。
【００３５】
移動体３５は、軸当接体３６と対向する軸対向部３５Ａとは反対側にピストン１１が接続される。
【００３６】
また移動体３５は、支持体３１の移動制限部３１Ａ及び３１Ｂの間で、移動体３５が移動した際に移動制限部３１Ａ及び３１Ｂの対向するそれぞれの面に当接するように所定幅の突出部３５Ｂが設けられる。
【００３７】
駆動部１２は、振動体３４への印加電圧が緩やかに正方向に変化すると該振動体３４が伸びて軸体３３を押込方向に移動させる。このとき移動体３５、軸当接体３６、締付体３７及びピストン１１は、軸体３３と移動体３５及び軸当接体３６との摩擦力により軸体３３と共に押込方向に移動する。
【００３８】
その後、駆動部１２は、振動体３４への印加電圧が急激に負方向に変化すると該振動体３４が縮んで軸体３３を引戻方向に移動させる。このとき移動体３５、軸当接体３６、締付体３７及びピストン１１は、慣性力が軸体３３と移動体３５及び軸当接体３６との摩擦力に打ち勝つことにより軸体３３が滑り、その位置に留まる。
【００３９】
このようにして駆動部１２は、この１回の動作でピストン１１を押込方向に微小量移動させる。微小量としては、例えば約０．２μｍ程度である。駆動部１２は、これを所定回数繰り返し行うことによりピストン１１を最引戻位置から最押込位置まで移動させる。例えば、駆動部１２を１００００回移動させることにより、２ｍｍ移動させることができる。このとき駆動部１２は、移動制限部３１Ａに突出部３５Ｂが当接することにより最押込位置より押込方向にピストン１１が移動することを防止できる。
【００４０】
一方、駆動部１２は、振動体３４への印加電圧が急激に正方向に変化すると該振動体３４が伸びて軸体３３を押込方向に移動させる。このとき移動体３５、軸当接体３６、締付体３７及びピストン１１は、慣性力が軸体３３と移動体３５及び軸当接体３６との摩擦力に打ち勝つことにより軸体３３が滑り、その位置に留まる。
【００４１】
駆動部１２は、振動体３４への印加電圧が緩やかに負方向に変化すると該振動体３４が縮んで軸体３３を引戻方向に移動させる。このとき移動体３５、軸当接体３６、締付体３７及びピストン１１は、軸体３３と移動体３５及び軸当接体３６との摩擦力により軸体３３と共に引戻方向に移動する。
【００４２】
このようにして駆動部１２は、この１回の動作でピストン１１を引戻方向に微小量移動させる。微小量としては、たとえば約０．２μｍである。駆動部１２は、これを所定回数繰り返し行うことによりピストン１１を最押込位置から最引戻位置まで移動させる。所定回数としては、たとえば１００００回であり、これにより２ｍｍピストン１１を移動させることができる。このとき駆動部１２は、移動制限部３１Ｂに突出部３５Ｂが当接することにより最引戻位置より引戻方向にピストン１１が移動することを防止できる。
【００４３】
ところで図７（Ａ）に示すように、ピストン１１の直径が０．８ｍｍであるのに対してシリンダ１４の内径が０．８１ｍｍであり、ピストン１１とシリンダ１４は５μｍの間隔が設けられる。
【００４４】
そこで図７（Ｂ）に示すようにピストン１１には、ピストン１１とシリンダ１４の間隔を満たすように、紫外線又は熱が加えられることにより粘性が増大する反応型シリコーン４１、例えば、シラノール基を含むポリジメチルシロキサンとアミノシランの反応により得られるシリコーンや、アミノ基含有アルコキシシランと分子鎖両末端にシラノール基を含有するシロキサンとを加水分解・縮合反応させたり、アミノ基含有アルケニル化合物と、ポリオルガノハイドロジェンシロキサンを付加反応させて生成するアミノ基含有ポリオルガノシロキサンと、ポリジメチルシロキサン、ポリメチルフェニルシロキサンなどからなるポリジオルガノシロキサンとを含有するシリコーンなどが塗布されており、シリンダ１４内に満たされた薬液がその間を通って外部に漏れることを防止することができる。
【００４５】
シリンダ１４内では、ピストン１１が最引戻位置から最押込位置へ移動する際にはシリンダ１４の内部圧力が約１００ｋＰａ程度上昇することが予想されており、この状態で薬液がピストン１１とシリンダ１４の間を通過して外部に漏れないことが必要となる。
【００４６】
そこでシリンダ１４の内部圧力を所定圧力（例えば、１００ｋＰａ）上昇させた状態でピストン１１を摺動させてのリーク実験を行った。
【００４７】
図８に示すように、実験装置５０は、シリンダ１４の一端側から反応型シリコーン４１が塗布されたピストン１１が挿入される。シリンダ１４の他端側には配管５１が接続されており、該配管５１におけるシリンダ１４とは反対側に圧力を加えるためのシリンジ５２が接続される。
【００４８】
シリンダ１４及び配管５１の内部には薬液を模した溶液が満たされており、シリンジ１４を押し込むことによりシリンダ１４及び配管５１の内部圧力を上昇させる。
【００４９】
また実験装置５０は、配管５１内の圧力を測定するための圧力計５３が該配管５１に接続される。
【００５０】
本実験では、圧力計６３の表示が１００ｋＰａになるまでユーザによりシリンジ５２が押し込まれ、その状態を維持したままピストン１１を駆動部１２により摺動させる。
【００５１】
本実験では、一例として目標摺動回数である２０００回摺動させる実験を行った。実験結果を図９に示すように、目標摺動回数である２０００回を大幅に超えた１００００回の摺動回数においても溶液がピストン１１とシリンダ１４の間を通過して外部に漏れないことを確認した。
【００５２】
また、本実験では、シリンジ５２を押し込んで、ピストン１１が動き出した際の力をフォースゲージ（図示せず）で測定することにより、反応型シリコーン４１をピストン１１とシリンダ１４の間に入れた際の反応型シリコーン４１の摺動抵抗を測定した。
【００５３】
また、この実験との対比のために、直径３ｍｍのピストンに対してシリンダとの間をシリコーンオイルが塗布された高分子材料（熱可塑性エラストマ）で塞いだシリンジの摺動抵抗も測定した。
【００５４】
この実験では、反応型シリコーン４１の摺動抵抗は約５ｇｆであったのに対し、高分子材料（熱可塑性エラストマ）を使用した際の摺動抵抗は約５０ｇｆであった。このように反応型シリコーン４１を用いてピストン１１とシリンダ１４の間をシールすることにより摺動抵抗を大幅に減少させることができる。
【００５５】
〔２．薬液投与装置の電気的構成〕
薬液投与装置１は、図１０に示すように、ＣＰＵ（Central Processing Unit）６１、ＲＯＭ（Read Only Memory）６２、ＲＡＭ（Random Access Memory）６３、電源部６４、インターフェース部（Ｉ／Ｆ部）６５、報知部６６、駆動部１２及び制限部１５がバス６７を介して接続される。
【００５６】
ＣＰＵ６１、ＲＯＭ６２、ＲＡＭ６３、電源部６４及び報知部６６は、基板部８上（図示せず）に配される。電源部６４は電池が適応される。報知部６６は例えば音声で報知するためのスピーカや、光で報知するためのＬＥＤなどが適応される。
【００５７】
インターフェース部６５は、上筐体部３又は下筐体部２に配されユーザの入力命令を受け付けるボタン（図示せず）が適応される。またインターフェース部４５の代わりに無線による通信を行うためのアンテナ及び通信回路からなる通信部を搭載し、本ポンプとは別体となる操作部（図示せず）から無線通信による入力命令を受け付ける方式でもよい。
【００５８】
ＣＰＵ６１は、ＲＯＭ６２に格納された基本プログラムをＲＡＭ６３に読み出して実行することより全体を統括制御すると共に、ＲＯＭ６２に記憶された各種アプリケーションプログラムをＲＡＭ６３に読み出して実行することにより各種処理を実行する。使用者は薬液投与装置１を操作し、制御部であるＣＰＵ６１に指令を出すことで、ＣＰＵ６１は基本プログラムを読みだし、駆動部１２及び制限部１５を制御することで使用者へ薬剤が投与される。
【００５９】
ＣＰＵ６１は、薬液を使用者に投与する際、薬液投与プログラムをＲＡＭ６３に読み出して実行することにより、図１１に示すフローチャートに従った薬液投与処理を実行する。
【００６０】
ＣＰＵ６１は、薬液投与処理を実行すると、薬液が注入部６を介して外部から充填され（ステップＳＰ１）、貼付部２が使用者の皮膚に貼り付けられると共に穿刺部５が使用者の皮膚に穿刺された後（ステップＳＰ２）、インターフェース部６５を介して入力された投与量、投与速度などのパラメータを設定する（ステップＳＰ３）。
【００６１】
そしてＣＰＵ６１は、設定されたパラメータに基づいて駆動部１２及び制限部１５を制御して薬液の投与を開始し（ステップＳＰ４）、薬液貯蔵部７に貯蔵された薬液がすべて投与された場合（ステップＳＰ５でＹＥＳ）、処理を終了する。
【００６２】
なお、薬液貯蔵部７に貯蔵される薬液量とピストン１１が一往復した際に送出される薬液量が決められているので、ＣＰＵ６１は、ピストン１１の往復回数に基づいて薬液貯蔵部７に貯蔵された薬液がすべて送出された（投与された）か否かを判断する。
【００６３】
ＣＰＵ６１は、薬液貯蔵部７に貯蔵された薬液がすべて送出されていない場合（ステップＳＰ５でＮＯ）、ステップＳＰ３で設定された投与量の薬液が投与されるまでステップＳＰ５〜ＳＰ７を繰り返す。
【００６４】
ＣＰＵ６１は、ステップＳＰ３で設定された投与量の薬液が投与された場合（ステップＳＰ６でＹＥＳ）、次に薬液を投与する入力命令がインターフェース部６５を介して入力されるまで待ち受ける（ステップＳＰ８）。
【００６５】
〔３．動作及び効果〕
以上の構成において、薬液投与装置１は、薬液が貯蔵される薬液貯蔵部から使用者の体内へ該薬液を送出するための流路部１３と一端が接続されたシリンダ１４の他端側でピストン１１が摺動することにより該薬液を使用者の体内に送出する。
【００６６】
この薬液投与装置１では、ピストン１１とシリンダ１４の間に反応型シリコーン４１が設けられる。薬液投与装置１では、反応型シリコーン４１がピストン１１とシリンダ１４の間をシールすることにより、ピストン１１とシリンダ１４の間を通過して外部に漏れることなく、ピストン１１がシリンダ１４内で摺動する際の摺動抵抗を従来のように高分子材料（熱可塑性エラストマ）でシールした場合に対して大幅に減少させることができる。
【００６７】
これにより薬液投与装置１では、ピストン１１を駆動させる駆動部１２に供給する電力を減少させることができ、これに伴い電源部６４を構成する電池を小さくすることができる。かくして薬液投与装置１は、装置全体を小型化することができる。
【００６８】
ところで、薬液が充填された外筒内で薬液をプランジャーで直接押し出すシリンジポンプでは、シリンジ内に薬液を充填させる体積を確保するため、シリンジ及びプランジャーの断面積が本発明のピストン１１及びシリンダ１４の断面積と比べて大きい。
【００６９】
従って、薬液を押し出す際にプランジャーに加わる力も大きく内部圧力も高くなるので、シリンジとプランジャーとに間が開いていると薬液が漏れやすいため高分子材料（熱可塑性エラストマ）等で完全にシールされて漏れを防止する。
【００７０】
このようにシリンジポンプでは、高分子材料（熱可塑性エラストマ）でシールするとプランジャーの摺動抵抗が大きくなるので、該摺動抵抗を減らすためにシリコーンオイルが外筒の内面やプランジャーの外周に塗布される場合がある。
【００７１】
しかしながら高分子材料（熱可塑性エラストマ）を用いている以上、上述の実験結果で示したように摺動抵抗を本願発明のように小さくすることができない。
【００７２】
これに対して薬液投与装置１は、反応型シリコーン４１がピストン１１とシリンダ１４の間をシールすると共に摺動抵抗を減少させる潤滑剤としても機能することにより、ピストン１１がシリンダ１４内で摺動する際の摺動抵抗を大幅に減少させることができる。
【００７３】
以上の構成によれば、反応型シリコーン４１によりピストン１１とシリンダ１４の間をシールすることによりピストン１１がシリンダ１４内で摺動する際の摺動抵抗を大幅に減少させることができるので、ピストン１１を駆動させる駆動部１２に供給する電力を減少させることができ、これに伴い電源部６４を構成する電池を小さくすることができ、かくして装置全体を小型化することができる。
【００７４】
〔４．他の実施の形態〕
なお上述した実施の形態においては、ピストン１１の直径を０．８ｍｍ、シリンダ１４の内径を０．８１ｍｍとし、ピストン１１とシリンダ１４の間を５μｍとした場合について説明した。本発明はこれに限らず、シリンダ１４の内径は０．７ｍｍから３ｍｍまでとし、ピストン１１とシリンダ１４の間を２〜２０μｍとすることで、ピストン１１とシリンダ１４の間を反応型シリコーン４１でシールする際の摺動抵抗を2ｇｆ〜３０ｇｆまでに減少させることができることを確認できた。
【００７５】
また上述した実施の形態においては、ピストン１１に反応型シリコーン４１を塗布するようにした場合について述べたが、本発明はこれに限らず、シリンダ１４の内面に反応型シリコーン４１を塗布するようにしてもよい。
【００７６】
また上述した実施の形態においては、ピストン１１を往復移動させるものとして駆動部１２を適用するようにした場合について述べたが、ピストン１１を往復移動させるものであれば、例えば、ギアが回転軸に取り付けられたＤＣモータを回転させ、該ギアを介して送りねじによりピストン１１を往復移動させるようにしてもよい。
【００７７】
また上述した実施の形態においては、支持体３１の移動制限部３１Ａ及び３１Ｂに移動体３５の突出部３５Ｂが当接することによりピストン１１の移動を制限するようにした場合について述べたが、本発明はこれに限らない。
【００７８】
例えば、図４との対応部分に同一符号を付した図１２に示すように、駆動部１１２は、支持体３１に代わって、移動制限部３１Ａ及び３１Ｂの代わりにピストン位置検出部１３１Ａが移動体３５と対向する位置に配された支持体１３１が設けられる。
【００７９】
ピストン位置検出部１３１Ａは、移動体３５の位置を検出することによりピストン１１の位置が検出できるものであればよく、磁気センサ、超音波センサ又は光センサ（レーザー距離計）などが適用される。なお、磁気センサを適応した場合、突出部３５Ｂを磁性体にすればよい。
【００８０】
駆動部１１２を用いた薬液投与装置１００は、図１０との対応部分に同一符号を付した図１３に示すように、ピストン位置検出部１３１Ａがバス６７を介して各部と接続される。ピストン位置検出部１３１Ａは、移動体３５の位置を所定間隔ごとに検出するようになされており、移動体３５に基づいてピストン１１の位置を示す信号をＣＰＵ６１に送出する。ＣＰＵ６１は、ピストン位置検出部１３１Ａから供給されるピストン１１の位置を示す信号に基づいて上述した薬液投与プログラム等を実行する。
【００８１】
また上述した実施の形態においては、制限部１５が吸込側蓋部２１、送出側蓋部２２、吸込側押付部２３及び送出側押付部２４により構成され、吸込側押付部２３及び送出側押付部２４を介して吸込側蓋部２１及び送出側蓋部２２を吸込管１３Ａ及び送出管１３Ｂの他端に押し付けて流路部１３の流路を薬液貯蔵部７から使用者の体内へ薬液が流れるよう制限するようにした場合について述べた。本発明はこれに限らず、制限部１５の代わりに自動弁又は一方向弁を設け、流路部１３の流路を薬液貯蔵部７から使用者の体内へ薬液が流れるよう制限するようにしてもよい。
【産業上の利用可能性】
【００８２】
本発明は、例えば医療分野に適用することができる。
【符号の説明】
【００８３】
１……薬液投与装置、２……下筐体部、３……上筐体部、４……貼付部、５……穿刺部、６……注入部、７……薬液貯蔵部、８……基板部、９……送出部、１１……ピストン、１２……駆動部、１３……流路部、１４……シリンダ、１５……制限部、３１……支持体、３２……軸支持体、３３……軸体３３……振動体、３５……移動体、４１……反応型シリコーン、５０……実験装置、６１……ＣＰＵ、６２……ＲＯＭ、６３……ＲＡＭ、６４……電源部、６５……インターフェース部、６６……報知部、６７……バス。
【図１】
2012200416.tif 000003
【図２】
2012200416.tif 000004
【図３】
2012200416.tif 000005
【図４】
2012200416.tif 000006
【図５】
2012200416.tif 000007
【図６】
2012200416.tif 000008
【図７】
2012200416.tif 000009
【図８】
2012200416.tif 000010
【図９】
2012200416.tif 000011
【図１０】
2012200416.tif 000012
【図１１】
2012200416.tif 000013
【図１２】
2012200416.tif 000014
【図１３】
2012200416.tif 000015